(57)【特許請求の範囲】
【請求項１】
送信装置と受信装置とを備え、前記送信装置は、表示部を有し前記表示部を介して制御コマンドを入力するための入力部と、多種多様な接続機器に対応したフォーマットの制御データまたは前記制御コマンドを送信データに変換するために参照する送信側データ対応部と、前記接続機器からの制御データまたは前記制御コマンドを前記送信側データ対応部を参照して装置固有の送信データに変換するデータ変換部と、前記データ変換部からの送信データを準拠すべき特定プロトコルに従ってプロトコル処理する送信プロトコル処理部と、前記プロトコル処理された送信データを特定変調方式により変調して変調信号を出力する変調部と、前記変調信号の周波数を特定無線周波数にアップコンバートする送信無線部とを有し、前記受信装置は、受信信号の周波数を前記特定無線周波数からダウンコンバートする受信無線部と、前記特定変調方式に対応して復調する復調部と、受信データを出力する受信プロトコル処理部と、多種多様な接続機器に対応したフォーマットの制御データに受信データを逆変換するために参照する受信側データ対応部と、前記受信側データ対応部を参照して前記受信データの前記制御データへの逆変換を行うデータ逆変換部とを有する無線制御装置であって、前記受信装置は受信レベルを検出するセンサを備え、前記センサは、予め設定された対象機器のＩＤと前記受信データの示すＩＤとを比較して対象機器の識別を行うＩＤ検出部と、受信レベルが特定レベル以下になると警告信号を出力する受信レベル測定部と、前記受信レベル測定部から警告信号が出力され、前記ＩＤ検出部でＩＤ検出不可能となったときに警告音等で通知する通知部とを有することを特徴とする無線制御装置。
【発明の詳細な説明】
【０００１】
【発明の属する技術分野】
本発明は、ホームネットワーク、無線ＬＡＮ、車内ネットワーク、ＰＡＮ（パーソナルエリアネットワーク／ピコネット）等のローカルネットワークを構成する無線制御装置に関するものである。
【０００２】
【従来の技術】
これまで、ローカルネットワーク通信は主にオフィス、工場等のネットワークに応用されてきた。しかし、近年ではより設置が容易な無線ＬＡＮ、電灯線通信等の出現により、一般家庭にも徐々に普及してきている。今後、ホームネットワーク、車内ネットワーク、ＰＡＮのような一般コンシュマー向けのローカルネットワークが続々と出現し、その接続機器は多種多様化し、その制御方法も複雑化していくと考えられる。無線制御装置は、ローカルネットワークを構成し、上記多種多様な接続機器が接続される装置である。現在、無線ＬＡＮの制御は、接続機器としてのパーソナルコンピュータと無線制御装置（無線ＬＡＮ等）とを利用して行うものが主流である。
【０００３】
以下、従来の無線制御装置について図６を用いて説明する。図６は従来の無線制御装置を示すブロック図である。
【０００４】
図６において、５０１は制御を行う接続機器（例えばパーソナルコンピュータ）、５０２は接続機器５０１との入力インターフェースをとる送信外部インターフェース部、５０３は特定プロトコルに従って送信する送信プロトコル処理部、５０４はプロトコル処理されたデータを特定変調方式により変調して変調信号を出力する変調部、５０５は特定無線周波数で送信するために適当な周波数で上記変調信号の周波数をアップコンバートする送信無線部、５０６は特定無線周波数に対応した送信アンテナ、５０７は送信アンテナ５０６におけると同様の特定無線周波数に対応した受信アンテナ、５０８は受信した信号をダウンコンバートする受信無線部、５０９は上記特定変調方式に対応した復調部、５１０は送信プロトコル処理部５０３の逆処理を行う受信プロトコル処理部、５１１は後述の接続機器５１２との出力インターフェースをとる受信外部インターフェース部、５１２は制御対象としての接続機器（例えばパーソナルコンピュータ、プリンタ等）である。
【０００５】
以上のように構成された無線制御装置について、以下その動作を説明する。なお、図６では送信装置と受信装置とを一つの無線制御装置で示しているが、送信装置は送信側（自分側）の送信装置であり、受信装置は受信側（相手側）の受信装置であるとして説明する。
【０００６】
利用者は、制御主体の接続機器５０１から制御対象の接続機器５１２を制御するために、対応するソフトウェア等を利用して接続機器５０１から制御コマンドを送信する。制御コマンドを入力した送信外部インターフェース部５０２は、その制御コマンドを認識し、送信データとして出力する。送信外部インターフェース部５０２から送信データを入力した送信プロトコル処理部５０３は、特定プロトコルに従って処理する。送信プロトコル処理部５０３でプロトコル処理された送信データを入力した変調部５０４は、特定変調方式で変調し、変調信号として出力する。この変調信号は、その周波数を送信無線部５０５で特定無線周波数にアップコンバートされ、送信アンテナ５０６を介して送信される。
【０００７】
受信アンテナ５０７で受信した信号は、受信無線部５０８で周波数がダウンコンバートされ、復調部５０９で上記特定変調方式に対応した復調方式で復調され、復調信号として出力される。復調部５０９からの復調信号を入力した受信プロトコル処理部５１０は、送信プロトコル処理部５０３の逆処理を実施し、受信データを出力する。受信プロトコル処理部５１０からの受信データを入力した受信外部インターフェース部５１１は、接続機器５１２へ受信制御コマンドを出力する。その結果、接続機器５１２は、接続機器５０１から送られた制御コマンドに従って動作する。
【０００８】
【発明が解決しようとする課題】
しかしながら、上記従来の無線制御装置では、パーソナルコンピュータのような制御主体の接続機器５０１から制御対象の接続機器５１２を制御することが必要であり、今後の多種多様な接続機器が接続されるローカルネットワーク（ホームネットワーク、車内ネットワーク、ＰＡＮ等）の制御を考えると、多種多様な接続機器のそれぞれの内容、操作等に精通しなければならず、取扱いが非常に面倒かつ複雑となると考えられ、その結果、利用者に対してはさらに深くかつ広範囲な知識が求められ、子供から老人までの利用が困難となっていくという問題点を有していた。
【０００９】
この無線制御装置では、接続機器を簡単に制御でき、また一括して制御できることが要求されている。
【００１０】
本発明は、対象機器の識別を行うと共に受信レベルの低下を検出して圏外になったことを通知することができ、制御対象の接続機器を簡単に制御でき、また一括して制御することができる無線制御装置を提供することを目的とする。
【００１１】
【課題を解決するための手段】
上記課題を解決するために本発明の無線制御装置は、送信装置と受信装置とを備え、送信装置は、表示部を有し表示部を介して制御コマンドを入力するための入力部と、多種多様な接続機器に対応したフォーマットの制御データまたは制御コマンドを送信データに変換するために参照する送信側データ対応部と、接続機器からの制御データまたは制御コマンドを送信側データ対応部を参照して装置固有の送信データに変換するデータ変換部と、データ変換部からの送信データを準拠すべき特定プロトコルに従ってプロトコル処理する送信プロトコル処理部と、プロトコル処理された送信データを特定変調方式により変調して変調信号を出力する変調部と、変調信号の周波数を特定無線周波数にアップコンバートする送信無線部とを有し、受信装置は、受信信号の周波数を特定無線周波数からダウンコンバートする受信無線部と、特定変調方式に対応して復調する復調部と、受信データを出力する受信プロトコル処理部と、多種多様な接続機器に対応したフォーマットの制御データに受信データを逆変換するために参照する受信側データ対応部と、受信側データ対応部を参照して受信データの制御データへの逆変換を行うデータ逆変換部とを有する無線制御装置であって、受信装置は受信レベルを検出するセンサを備え、センサは、予め設定された対象機器のＩＤと受信データの示すＩＤとを比較して対象機器の識別を行うＩＤ検出部と、受信レベルが特定レベル以下になると警告信号を出力する受信レベル測定部と、受信レベル測定部から警告信号が出力され、ＩＤ検出部でＩＤ検出不可能となったときに警告音等で通知する通知部とを有する構成を備えている。
【００１２】
これにより、対象機器の識別を行うと共に受信レベルの低下を検出して圏外になったことを通知することができ、制御対象の接続機器を簡単に制御でき、また一括して制御することができる無線制御装置が得られる。
【００１３】
【発明の実施の形態】
本発明の請求項１に記載の無線制御装置は、送信装置と受信装置とを備え、送信装置は、表示部を有し表示部を介して制御コマンドを入力するための入力部と、多種多様な接続機器に対応したフォーマットの制御データまたは制御コマンドを送信データに変換するために参照する送信側データ対応部と、接続機器からの制御データまたは制御コマンドを送信側データ対応部を参照して装置固有の送信データに変換するデータ変換部と、データ変換部からの送信データを準拠すべき特定プロトコルに従ってプロトコル処理する送信プロトコル処理部と、プロトコル処理された送信データを特定変調方式により変調して変調信号を出力する変調部と、変調信号の周波数を特定無線周波数にアップコンバートする送信無線部とを有し、受信装置は、受信信号の周波数を特定無線周波数からダウンコンバートする受信無線部と、特定変調方式に対応して復調する復調部と、受信データを出力する受信プロトコル処理部と、多種多様な接続機器に対応したフォーマットの制御データに受信データを逆変換するために参照する受信側データ対応部と、受信側データ対応部を参照して受信データの制御データへの逆変換を行うデータ逆変換部とを有する無線制御装置であって、受信装置は受信レベルを検出するセンサを備え、センサは、予め設定された対象機器のＩＤと受信データの示すＩＤとを比較して対象機器の識別を行うＩＤ検出部と、受信レベルが特定レベル以下になると警告信号を出力する受信レベル測定部と、受信レベル測定部から警告信号が出力され、ＩＤ検出部でＩＤ検出不可能となったときに警告音等で通知する通知部とを有することとしたものである。
【００１４】
この構成により、センサつまり無線制御装置が対象機器の圏外となったことが検出されることにより、装置単体でも、他の無線制御装置に接続された接続機器を制御することができるので、ホームネットワーク、車内ネットワーク、ＰＡＮ等のローカルネットワークの多種多様な接続機器を一括かつ簡単に制御することができるという作用を有する。
【００２３】
以下、本発明の実施の形態について、図１〜図５を用いて説明する。
【００２４】
（前提の形態）
まず図５を用いて前提の形態の無線制御装置の一般的な使用状態を説明する。
【００２５】
図５は本発明に係る無線制御装置の一般的な使用状態を示す説明図である。
【００２６】
図５において、４０１、４０２ａ、４０２ｂ、４０２ｃ、４０２ｄは本発明に係る無線制御装置、４０３ａ、４０３ｂ、４０３ｃ、４０３ｄはパソコン等の接続機器である。
【００２７】
無線制御装置４０１はローカルネットワークの一括制御装置として動作し、その他の無線制御装置４０２ａ、４０２ｂ、４０２ｃ、４０２ｄはそれぞれ接続機器４０３ａ、４０３ｂ、４０３ｃ、４０３ｄに接続されている。これにより、一括制御装置４０１からの指示通りに特定の接続機器を動作させることが可能になる。このような無線制御装置の各実施の形態について、以下説明する。
【００２８】
図１は、本発明の前提の形態による無線制御装置を示すブロック図である。
【００２９】
図１において、１はボタンや、キー、タッチパネル等で構成される入力部、１ａは入力部１の表示部、２はマイク、３ａは送信側音声コーデック部（音声Ｃｏｄｅｃ）、３ｂは受信側音声コーデック部、４は制御コマンドまたは音声データを送信データへ変換し、かつ接続機器が存在する場合には接続機器からの制御データを予め接続機器のフォーマットが入力されている後述の送信側データ対応部５ａを参照して本無線制御装置固有の送信データに変換するデータ変換部、５ａは多種多様な接続機器（例えば電話機、ＰＣなど）に対応した送信側データ対応部、５ｂは同じく多種多様な接続機器に対応した受信側データ対応部、６は送信データを特定プロトコルに従って処理する送信プロトコル処理部、７はプロトコル処理された送信データを特定変調方式により変調する変調部、８は変調信号の周波数を特定無線周波数にアップコンバートする送信無線部、９は送信アンテナ、１０は本無線制御装置と接続する接続機器、１１は受信アンテナ、１２は特定無線周波数からダウンコンバートする受信無線部、１３は上記特定変調方式に対応した復調部、１４は送信プロトコル処理手段の逆処理をし、受信データを出力する受信プロトコル処理部、１５はデータ対応部５ｂを参照して装置固有の受信データから制御データまたは音声データへ変換するデータ逆変換部、１６は受信された内容を表示する表示部、１７はスピーカ、１８は接続機器である。構成要素１、２、３ａ、４、５ａ、６〜９は送信装置を構成し、構成要素１１〜１７、３ｂ、５ｂは樹脂装置を構成する。
【００３０】
以上のように構成された無線制御装置について、その動作を説明する。
【００３１】
送信装置においては、制御対象の接続機器１８を無線制御装置から直接無線制御する際、入力部１の表示部１ａに接続機器１０の制御画面（従来は接続機器１８で表示していた制御画面）を表示させ、その中から制御コマンドを選択する。音声で通信する場合、マイク２から入力された音声信号は、送信側音声コーデック部３ａで特定音声コーデックにより音声データへ変換される。接続機器１０出力の制御データと入力部１からの制御コマンドと送信側音声コーデック部３ａからの音声データとを入力したデータ変換部４はその内容から、様々なフォーマットに対応した送信側データ対応部５ａを参照して、本無線制御装置に固有の送信データ（装置固有の送信データ）に変換する。送信データは送信プロトコル処理部６において、特定プロトコルに従って処理される。プロトコル処理された送信データは、変調部７で特定変調方式で変調され、変調信号として出力される。この変調信号はその周波数が送信無線部８で特定無線周波数にアップコンバートされ、送信アンテナ９を介して送信される。
【００３２】
受信装置においては、受信アンテナ１１を介して受信された信号は、受信無線部１２で周波数が特定無線周波数（送信装置における無線周波数と同じ周波数）からダウンコンバートされ、受信信号として出力される。受信信号は復調部１３で上記特定変調方式に対応した復調方式で復調され、復調信号として出力される。復調信号は、受信プロトコル処理部１４で特定プロトコルに従って、受信データとして出力される。受信データを入力したデータ逆変換部１５は、多種多様なフォーマットに対応した受信側データ対応部５ｂを参照して、制御データまたは音声データを出力する。この制御データを入力した接続機器１８はその内容に従った動作を行い、必要であれば、データ逆変換部１５は上記制御データを表示部１６で表示する。また、データ逆変換部１５から出力される音声データは受信側音声コーデック部３ｂにおいて音声信号へ変換され、スピーカ１７から音声として出力される。
【００３３】
このように本前提の形態によれば、表示部１ａを介して入力部１から制御コマンドを出力することができるようにしたので、ローカルネットワークに接続されている多種多様な接続機器を無線制御装置単体でも一括制御することが可能となり、従来のように個々の接続機器での制御、たとえば面倒なパーソナルコンピュータによる制御が不要となり、簡単で利便性の高い制御が可能となる。
【００３４】
（実施の形態１）
図２は本発明の実施の形態１による無線制御装置を構成するセンサを示すブロック図である。このセンサは本発明に係る無線制御装置と通信可能に構成されており、入力部、表示部を不要として無線制御装置の簡略化、小型化、低コスト化が図れるようにしたものである。
【００３５】
図２において、１１は受信アンテナ、１２は特定無線周波数からダウンコンバートする受信無線部、１３は特定変調方式に対応した復調部、１４は通信先の送信プロトコル処理部の逆処理をし、受信データを出力する受信プロトコル処理部、１０１は予め設定されていた対象機器（登録対象機器）の識別を行うＩＤ検出部、１０２は予め設定されていた対象機器の受信レベルが特定レベルよりも低くなると警告信号を出力する受信レベル測定部、１０３は受信レベル測定部１０２から警告信号が出力され、ＩＤ検出部１０１でＩＤ検出不可能を示す検出信号が入力されたときに動作する通知部である。
【００３６】
以上のように構成されたセンサについて、その動作を説明する。
【００３７】
受信アンテナ１１からの受信信号は、受信無線部１２で周波数が特定周波数からダウンコンバートされる。ダウンコンバートされた受信信号は復調部１３で対応した復調方式で復調され、復調信号として出力される。復調信号を入力した受信プロトコル処理部１４で特定プロトコルに従って処理され、受信データから識別データ（ＩＤデータ）のみ抜き出され、識別データが出力される。識別データは、ＩＤ検出部１０１で予め入力された識別データ（登録対象機器に対応する識別データ）と照合され、一致していれば一致を示す検出信号が出力される。また、受信レベル測定部１０２で受信レベルを測定し、希望波の受信レベルが特定レベルよりも低くなった場合、警告信号が出力される。その結果、定期的あるいは継続的に入力されていた検出信号がＩＤ検出不可能を示し、かつ警告信号が入力されると、通知部１０３は、バイブレータやアラーム音等により、対象機器が圏外となったことを通知する。
【００３８】
このように本実施の形態によれば、予め設定されていた接続機器または無線制御装置がセンサから通信圏外となったことをセンサにより検知することができるので、その旨を利用者へ通知することができ、落とし物や忘れ物を防止することができる。
【００３９】
（参考の形態１）
図３は参考の形態１による無線制御装置を示すブロック図である。
【００４０】
図３において、入力部１、マイク２、送信側音声コーデック部３ａ、受信側音声コーデック部３ｂ、データ変換部４、送信側データ対応部５ａ、受信側データ対応部５ｂ、送信プロトコル処理部６、変調部７、送信無線部８、送信アンテナ９、接続機器１０、１８、受信アンテナ１１、受信無線部１２、復調部１３、受信プロトコル処理部１４、データ変換部１５、表示部１６、スピーカ１７は図１と同様のものなので、同一符号を付し、説明は省略する。２０１は送信データの認証データから特定利用者または特定接続機器のみの送信データを送信可能とし、かつ必要であれば機密性を向上するために暗号化を行う送信認証／セキュリティ部、２０２は受信データの認証データから特定利用者または特定接続機器のみの受信データを受信可能とし、暗号化されていればその復号化（暗号化データの解読）を実施する受信認証／セキュリティ部である。
【００４１】
以上のように構成された無線制御装置について、その動作を認証／セキュリティ動作を中心に説明する。
【００４２】
まず、機密性の高い接続機器を制御する場合、事前に特定利用者はその接続機器特有のＩＤやパスワードを入力部１または接続機器１０、１８に設定しておく。送信の場合、まず送信認証／セキュリティ部２０１から上記ＩＤやパスワードを送信し、そのＩＤやパスワードを受信した無線制御装置（特定利用者等が機器接続を希望する無線制御装置）から、そのＩＤやパスワードに対する利用可否の返答がなされる。受信の際、受信認証／セキュリティ部２０２は、受信プロトコル処理部１４から出力される受信データ内のＩＤやパスワードから、特定利用者又は特定接続機器の利用可否を判定する。利用可能と判定した場合、実施の形態１と同様に、その機器接続を希望する無線制御装置に接続された接続機器１０の制御や、その通信内容の表示、音声通信が可能となる。
【００４３】
また、本無線制御装置自体も、利用者の特有のＩＤやパスワード設定により、特定利用者のみが使用可能と設定することも可能である。
【００４４】
さらに、他者の傍受を避けるため、送信認証／セキュリティ部２０１で暗号化、受信認証／セキュリティ部２０２で復号化を実施するようにして、よりセキュリティの高い通信を行うこともできる。
【００４５】
このように参考の形態１によれば、特定利用者のみ又は特定接続機器のみ接続可能な認証や暗号化のセキュリティにより、機密性の高い通信にも対応することができる。
【００４６】
（参考の形態２）
図４は参考の形態２による無線制御装置を示すブロック図である。
【００４７】
図４において、入力部１、マイク２、送信側音声コーデック部３ａ、受信側音声コーデック部３ｂ、データ変換部４、送信側データ対応部５ａ、受信側データ対応部５ｂ、送信プロトコル処理部６、変調部７、送信無線部８、送信アンテナ９、接続機器１０、１８、受信アンテナ１１、受信無線部１２、復調部１３、受信プロトコル処理部１４、データ変換部１５、表示部１６、スピーカ１７は図１と同様のものなので、同一符号を付し、説明は省略する。３０１は入力部１から設定された接続機器１０へ強制的に接続要求情報を送信し、かつ相手側無線制御装置の受信アプローチ＆プレイ制御部３０２で判定した接続可否情報を出力する送信アプローチ＆プレイ制御部、３０２は送信側無線制御装置（自分側無線制御装置）から接続要求情報を受信した場合、接続可否を判定する受信アプローチ＆プレイ制御部である。
【００４８】
以上のように構成された無線制御装置について、その動作をアプローチ＆プレイ制御動作を中心に説明する。なお、図４では送信装置と受信装置とを一つの無線制御装置で示しているが、送信装置は送信側（自分側）の送信装置であり、受信装置は受信側（相手側）の受信装置であるとして説明する。
【００４９】
送信アプローチ＆プレイ制御部３０１は、入力部１から設定された接続機器１０へ強制的に接続要求情報を送信でき、かつ一定間隔でも接続要求情報を送信する。受信アプローチ＆プレイ制御部３０２は、その接続要求情報を受信すると、制御可能な接続機器１０または無線制御装置であれば、近くに新たな接続機器１０または無線制御装置が増えたことを表示部１６またはスピーカ１７を介して通知する。また、同時に、その接続機器１０が接続された無線制御装置に対して、特定周波数チャンネル、タイムスロット等の無線リンクに必要な情報を送信する。その後、一定間隔でお互いに無線リンクの確立の確認及び上記無線リンクに必要な情報の変更等を含む通常の通信を開始する。
【００５０】
一定間隔で無線リンクの確立の確認を実施していた接続機器１０または無線制御装置が通信不可となると、受信アプローチ＆プレイ制御部３０２はその旨を自動的に表示部１６またはスピーカ１７を介して通知する。
【００５１】
このように参考の形態２によれば、入力部１から設定された相手側無線制御装置の受信アプローチ＆プレイ制御部３０２で判定した接続可否情報を設定された接続機器１０へ送信するようにしたので、利用者は接続機器１０または無線制御装置を利用するための面倒な設定をいちいち行わなくても、接続機器１０が接続された無線制御装置に近づくだけでその接続機器１０が自動的に利用可能となり、また近くの接続したい接続機器１０へ接続要求情報を送信すれば、強制的にその接続機器１０を利用可能にする、または現在どの接続機器１０または無線制御装置が利用可能であるかを確認することを容易に行うことができる。
【００５２】
【発明の効果】
以上説明したように本発明の無線制御装置によれば、送信装置と受信装置とを備え、送信装置は、表示部を有し表示部を介して制御コマンドを入力するための入力部と、多種多様な接続機器に対応したフォーマットの制御データまたは制御コマンドを送信データに変換するために参照する送信側データ対応部と、接続機器からの制御データまたは制御コマンドを送信側データ対応部を参照して装置固有の送信データに変換するデータ変換部と、データ変換部からの送信データを準拠すべき特定プロトコルに従ってプロトコル処理する送信プロトコル処理部と、プロトコル処理された送信データを特定変調方式により変調して変調信号を出力する変調部と、変調信号の周波数を特定無線周波数にアップコンバートする送信無線部とを有し、受信装置は、受信信号の周波数を特定無線周波数からダウンコンバートする受信無線部と、特定変調方式に対応して復調する復調部と、受信データを出力する受信プロトコル処理部と、多種多様な接続機器に対応したフォーマットの制御データに受信データを逆変換するために参照する受信側データ対応部と、受信側データ対応部を参照して受信データの制御データへの逆変換を行うデータ逆変換部とを有する無線制御装置であって、受信装置は受信レベルを検出するセンサを備え、センサは、予め設定された対象機器のＩＤと受信データの示すＩＤとを比較して対象機器の識別を行うＩＤ検出部と、受信レベルが特定レベル以下になると警告信号を出力する受信レベル測定部と、受信レベル測定部から警告信号が出力され、ＩＤ検出部でＩＤ検出不可能となったときに警告音等で通知する通知部とを有することにより、センサで対象機器の識別を行うと共に受信レベルの低下を検出して圏外になったことを通知することができ、これにより装置単体でも、他の無線制御装置に接続された接続機器を制御することができるので、ホームネットワーク、車内ネットワーク、ＰＡＮ等のローカルネットワークの多種多様な接続機器を一括かつ簡単に制御することができ、従来のように個々の接続機器での制御たとえば面倒なパソコンによる制御が不要となり、簡単で利便性の高い制御を行うことができる。
【００５３】
請求項２に記載の無線制御装置によれば、請求項１に記載の無線制御装置において、センサを備え、センサは、受信信号の周波数を特定無線周波数からダウンコンバートする受信無線部と、特定変調方式に対応した復調部と、復調部から出力される復調信号を特定プロトコルに従って処理して受信データを出力する受信プロトコル処理部と、予め設定された対象機器のＩＤと受信データの示すＩＤとを比較して対象機器の識別を行うＩＤ検出部と、受信レベルが特定レベル以下になると警告信号を出力する受信レベル測定部と、受信レベル測定部から警告信号が出力され、ＩＤ検出部でＩＤ検出不可能となったときに警告音等で通知する通知部とを有することにより、センサつまり無線制御装置が対象機器の圏外となったことが通知されるので、忘れ物や落とし物を防止することができるという有利な効果が得られる。
【図面の簡単な説明】
【図１】前提の形態の無線制御装置を示すブロック図
【図２】本発明の実施の形態１による無線制御装置を構成するセンサを示すブロック図
【図３】参考の形態１の無線制御装置を示すブロック図
【図４】参考の形態２の無線制御装置を示すブロック図
【図５】本発明に係る無線制御装置の一般的な使用状態を示す説明図
【図６】従来の無線制御装置を示すブロック図
【符号の説明】
１  入力部
２  マイク
３ａ  送信側音声コーデック部（音声Ｃｏｄｅｃ）
３ｂ  受信側音声コーデック部（音声Ｃｏｄｅｃ）
４  データ変換部
５ａ  送信側データ対応部
５ｂ  受信側データ対応部
６  送信プロトコル処理部
７  変調部
８  送信無線部
９  送信アンテナ
１０、１８、４０３ａ、４０３ｂ、４０３ｃ、４０３ｄ  接続機器
１１  受信アンテナ
１２  受信無線部
１３  復調部
１４  受信プロトコル処理部
１５  データ逆変換部
１６  表示部
１７  スピーカ
１０１  ＩＤ検出部
１０２  受信レベル測定部
１０３  通知部
２０１  送信認証／セキュリティ部
２０２  受信認証／セキュリティ部
３０１  送信アプローチ＆プレイ制御部
３０２  受信アプローチ＆プレイ制御部
４０１、４０２ａ、４０２ｂ、４０２ｃ、４０２ｄ  無線制御装置
【図１】
0004277403.tif 000002
【図２】
0004277403.tif 000003
【図３】
0004277403.tif 000004
【図４】
0004277403.tif 000005
【図５】
0004277403.tif 000006
【図６】
0004277403.tif 000007